(57)【要約】      （修正有）【課題】回転速度を下げ、かつ効率を高める三相入力の交直流変換溶接機を提供する。【解決手段】収納空間を有するケーシング１を備える。収納空間には、エンジン２、発電機３、電力箱５及びファン６が設置される。エンジン２の出力軸は、発電機３の枢軸に連結する。電力箱は、内部に交直流変換器４を備え、外表面に電気パラメータの表示計を備える。【選択図】図１
0003157850.tif 000002
【実用新案登録請求の範囲】
【請求項１】
三相入力の交直流変換溶接機であって、
収納空間が設けられたケーシングと、
前記ケーシング内に設置されるエンジンと、
枢軸を有し、前記エンジンの出力軸に前記枢軸を連結し、前記枢軸が回転されて電力を発生する発電機と、
入力端と出力端を有し、前記入力端には発電機が出力する三相電力を入力し、入力された交流電気を直流電気に変換することができ、前記出力端は二つのコネクタに形成され、前記二つのコネクタの一方は正極コネクタで、他方は負極コネクタである交直流変換器と、
交直流変換器を内部に設置し、外表面には電気パラメータの表示計を備え、前記表示計は、前記入力端の交流電気の大きさを表す交流電流表示計と、前記入力端の交流電圧の大きさを表す交流電圧表示計と、前記出力端の直流電気の大きさを表す直流電流表示計と、前記出力端の直流電圧の大きさを表す直流電圧表示計と、前記入力端の交流電気の周波数の大きさを表す交流周波数表示計とを含む電力箱と、
前記ケーシング内に設置されて前記ケーシング内部の排熱に用いられるファンとを備え、
前記エンジン、前記発電機、前記交直流変換器、前記電力箱及び前記ファンは前記ケーシング内の収納空間に設置されてあることを特徴とする、三相入力の交直流変換溶接機。
【請求項２】
前記発電機が出力する三相電力の各相電力の位相角の差は120度であることを特徴とする請求項１記載の三相入力の交直流変換溶接機。
【請求項３】
前記電力箱には発電機の三相電力の電線が入れる入力孔と、交直流変換器の直流正負端の電線が出る出力孔と、を含むことを特徴とする請求項１記載の三相入力の交直流変換溶接機。
【請求項４】
前記二つのコネクタは二本の入力電線との接続に用いられ、入力電線はそれぞれクランプを含み、一つのクランプはアースとの接続に用いられ、別のクランプは溶接棒を挟み、外の部材を溶接するときに用いられることを特徴とする請求項１記載の三相入力の交直流変換溶接機。
【考案の詳細な説明】
【技術分野】
【０００１】
本考案は交直流変換溶接機の一種に関し、特に三相入力の交直流変換溶接機に関するものである。
【背景技術】
【０００２】
従来技術の中華民国特許公示第496227号の溶接機の電源入力端の構造は溶接機に設けられ、前記溶接機にはケーシング(casing)、変圧セット(set)、電源入力端及び電源出力端を備え、その中、ケーシングの内部は中空かつ開口が下向きの収納室を備え、電源入力端は二つのコネクタ(connector)と一つの定位ユニット(unit)を含む。二つのコネクタは収納空間に取り付けられて二本の入力電線との接続に用いられ、定位ユニットは収納空間に取り付けられてかつ二つのコネクタの下側に位置し、それはクランプ(clamp)と、締め付け部材によってクランプに取り付けられるクランプピース(clamp piece)を含み、クランプとクランプピースの間には二本の入力電線の嵌め付けに用いられる割れ目を備える。これにより、電源の入出力端の構造は電線が外力の引きずりによって脱落することを有効に避け、並びに意外の短絡を避けることができる。
【先行技術文献】
【特許文献】
【０００３】
【特許文献１】台湾特許公示第496227号
【考案の概要】
【考案が解決しようとする課題】
【０００４】
また、一般伝統的周波数変換方式の溶接機は、発電機の出力端には二相だけが引き出されて交直流変換器に入力され、その結果、より高いパワー(power)を得るため、発電機の定格電圧は44ボルト(volt)より高くしなければ（もし伝統的非周波数変換の溶接機が使われる場合、電圧は80ボルトまでに上げなければならない）、250アンペア(ampere)の直流電気の出力が達成できず、コスト(cost)が高くなり、かつエンジン(engine)の燃料消耗量も大きくなり、全体的寿命も短くなる。そこで、回転速度を下げ、かつ効率を高める溶接機の提出は現在の早急に達成するべき目標である。
【課題を解決するための手段】
【０００５】
本考案の目的は上記従来の技術問題を解決するもので、本考案は三相入力の交直流変換溶接機を提出し、それは発電機の出力端から三相電源を引き出して交直流変換器に入力し、結果はより高いパワーを達成することができ、本案発電機の定格電流は24アンペアだが、250アンペアの直流出力を達成することができ、かつコストが低く、エンジンの燃料消耗量も少なくなり、全体的寿命も長くなる。
【図面の簡単な説明】
【０００６】
【図１】本考案のケーシング内の各部材の配置を表した意表図である。
【図２】本考案のエンジン、発電機、交直流変換器及び電力箱、ファンの連結関係を表した意表図である。
【図３】本考案の、交直流変換器及び電力箱の配置を表した意表図である。
【考案を実施するための形態】
【０００７】
ここに本案の構造構成及び効能と長所について、本案の最適実施例を取り上げ、図面と合わして次の如く詳細説明する。
【０００８】
図１から図３に示す本考案の三相入力の交直流変換溶接機を参照する。それは次の部材を含む。
【０００９】
ケーシング1、それには其の他部材の設置に用いられる収納空間が設けられてある。
【００１０】
エンジン2、それはケーシング1内に設置され、エンジン2は主として本システムが必要とする動力を提供する。
【００１１】
発電機3、前記エンジン2の出力軸20は発電機3の枢軸30に連結され、発電機3の枢軸30を回転させて電力を発生する。発電機3の出力は三相電力であり、各相の電力の位相角の差は120度である。
【００１２】
交直流変換器4、それの一端は発電機3が出力する三相電力に連結される。交直流変換器4は入力された交流電気を直流電気に変換することができるので、交直流変換器4の出力端は二つのコネクタ40に形成され、その一つは正極コネクタで、もう一つは負極コネクタである。
【００１３】
電力箱5、それは一つのケーシングであり、前記交直流変換器4は電力箱5内に設置される。電力箱5の外表面には電気パラメータ(parameter)表示計501が含まれ、それの主要は交直流変換器4の入力端の交流電気の大きさを表す交流電流表示計と、交直流変換器4の入力端の交流電圧の大きさを表す交流電圧表示計と、交直流変換器4の出力端の直流電気の大きさを表す直流電流表示計と、交直流変換器4の出力端の直流電圧の大きさを表す直流電圧表示計と、交直流変換器4の入力端の交流電気の周波数の大きさを表す交流周波数表示計とを含む。
【００１４】
前記電力箱5には必要とする入出力孔51、52を含み、それによって発電機3の三相電気の電線は入力することができ、かつ交直流変換器4の直流正負端の電線は出力することができる（図３参照）。
【００１５】
二つのコネクタは二本の入力電線401、402との接続に用いられ、入力電線401、402にはそれぞれクランプ403を含み、一つのクランプ403はアース(earth)との接続に用いられ、別のクランプ403は溶接棒を挟み、外の部材を溶接するときに用いられる。
【００１６】
ファン(fan)6、それはケーシング1内に設置され、ケーシング1内部の排熱に用いられる。
【００１７】
本考案の三相入力の交直流変換溶接機の長所は発電機の出力端から三相電源が引き出されて交直流変換器に入力し、その結果はより高いパワーに到達することができ、本案発電機の定格電流は24アンペアだが、250アンペアの直流出力を達成することができ、かつコストが低く、エンジンの燃料消耗量も少なくなり、メンテナンス(maintenance)が容易であり、全体的寿命も長くなる。
【００１８】
以上の説明は本考案の実行可能な実施例に対する具体説明であり、その実施例は本考案を制限するものではなく、およそ本考案の技術精神を離脱しないで行った同等効果の実施または変更は、すべて本案に含まれるべきである。
【符号の説明】
【００１９】
１      ケーシング
２      エンジン
２０    出力軸
３      発電機
３０    枢軸
４      交直流変換器
４０    コネクタ
４０１、４０２    入力電線
４０３  クランプ
５      電力箱
５１、５２    入出力孔
５０１  電気パラメータ表示計
６      ファン
【図１】
0003157850.tif 000003
【図２】
0003157850.tif 000004
【図３】
0003157850.tif 000005